(57)【特許請求の範囲】
【請求項１】
エレベータの押しボタンに発生した異常を処理するエレベータの押しボタン異常処理システムであって、
前記押しボタンから発信される信号に基づいて、当該押しボタンの異常の有無を判定する異常判定手段と、
前記異常判定手段において異常が有ると判定された場合に、第１の報知として、異常が発生した前記押しボタンの押下を促す旨を報知する報知手段と、
前記第１の報知の際に、異常が発生した前記押しボタンを点滅させる点滅指示手段と、を備え、
前記第１の報知の後に前記異常判定手段が依然として前記押しボタンに異常が有ると判定した場合、前記報知手段は、第２の報知として、異常が発生している前記押しボタンの押下の方法を説明する報知を行い、
前記点滅指示手段は、前記第２の報知の際に、前記第１の報知の際の点滅間隔より短い点滅間隔で前記押しボタンを点滅させることを特徴とするエレベータの押しボタン異常処理システム。
【請求項２】
前記第１の報知の後に前記異常判定手段が前記押しボタンに異常が無いと判定した場合、前記押しボタンの異常が解消した旨を監視センターに通知する通知手段を更に備えたことを特徴とする請求項１に記載のエレベータの押しボタン異常処理システム。
【発明の詳細な説明】
【技術分野】
【０００１】
本発明の実施形態は、エレベータの押しボタン異常処理システムに関する。
【背景技術】
【０００２】
エレベータのかご内には、ドアの開閉を操作するための開閉操作ボタンや、行き先階を登録するための行き先階操作ボタンなどを有するかご内操作盤が設けられている。また、乗場には、かごを呼ぶための呼び操作ボタンを有する乗場操作盤が設けられている。これらのボタンは、利用者がボタンを押下することによって押し込まれて信号を発信する押しボタンとして構成されていることが多い。
【０００３】
上述のような押しボタンは、利用者の手によって押下されると押し込まれ、利用者の手が離れると押される前の状態に戻って復帰する。しかしながら、押しボタンが押し込まれた際に周囲の部材に引っ掛かり、押される前の状態に復帰しないという異常が発生することがある。このような異常が発生した場合には、利用者に不都合を与え得るため、これを防止するために、押しボタンの異常の発生の有無を診断または判定する方法が知られている。
【先行技術文献】
【特許文献】
【０００４】
【特許文献１】特開平３−４６９８０号公報
【特許文献２】実開平５−２９４５８８号公報
【発明の概要】
【発明が解決しようとする課題】
【０００５】
上述したような異常が発生した押しボタンは、その後自然に押される前の状態に復帰して異常が解消されたり、エレベータの管理者や点検作業者が気づいて修理することで異常が解消されたりし得る。しかしながら、押しボタンの異常が長時間放置される可能性があり、利用者の利便性を損なうという課題が生じ得る。また、上述したような、知られている診断方法または判定方法では、発生した異常を解消させて迅速に復旧させるためにはまだ不十分である。
【０００６】
本発明は、このような点を考慮してなされたものであり、異常が発生した押しボタンの迅速な復旧を図ることができるエレベータの押しボタン異常処理システムを提供することを目的とする。
【課題を解決するための手段】
【０００７】
実施の形態によるエレベータの押しボタン異常処理システムは、エレベータの押しボタンに発生した異常を処理する。このエレベータの押しボタン異常処理システムは、押しボタンから発信される信号に基づいて、押しボタンの異常の有無を判定する異常判定手段と、異常判定手段において異常が有ると判定された場合に、第１の報知として、異常が発生した押しボタンの押下を促す旨を報知する報知手段と、第１の報知の際に、異常が発生した押しボタンを点滅させる点滅指示手段と、を備えている。
【０００８】
また、実施の形態によるエレベータの押しボタン異常処理システムは、エレベータの押しボタンに発生した異常を処理する。このエレベータの押しボタン異常処理システムは、押しボタンから発信される信号に基づいて、押しボタンの異常の有無を判定する異常判定手段と、異常判定手段において異常が有ると判定された場合に、異常が発生した押しボタンに機械的振動を付与する振動付与手段と、を備えている。
【０００９】
さらに、実施の形態によるエレベータの押しボタン異常処理システムは、エレベータの押しボタンに発生した異常を処理する。このエレベータの押しボタン異常処理システムでは、押しボタンから発信される信号に基づいて、押しボタンの異常の有無を判定する異常判定手段と、異常判定手段において異常が有ると判定された場合に、異常が発生した押しボタンに裏側から気体を噴出する気体噴出手段と、を備えている。
【図面の簡単な説明】
【００１０】
【図１】図１は、本発明の第１の実施の形態におけるエレベータ装置の構成を示す概略図である。
【図２】図２は、図１のエレベータ装置においてかご内を示す斜視図である。
【図３】図３は、図２のかご内に設けられたかご内操作盤を示す図である。
【図４】図４は、本発明の第１の実施の形態におけるエレベータの押しボタン異常処理システムの構成を示す図である。
【図５】図５は、図４のエレベータの押しボタン異常処理システムのフローチャートを示す図である。
【図６】図６は、図１のエレベータ装置において乗場に設けられた乗場操作盤を示す図である。
【図７】図７は、本発明の第２の実施の形態におけるエレベータの押しボタン異常処理システムの構成を示す図である。
【図８】図８は、図６のエレベータの押しボタン異常処理システムにおける押しボタンを示す断面図である。
【図９】図９は、本発明の第３の実施の形態におけるエレベータの押しボタン異常処理システムの構成を示す図である。
【図１０】図１０は、図９のエレベータの押しボタン異常処理システムにおける押しボタンを示す断面図である。
【発明を実施するための形態】
【００１１】
以下、図面を参照して、本発明の実施の形態について説明する。
【００１２】
（第１の実施の形態）
まず、図１乃至図６を用いて、第１の実施の形態によるエレベータの押しボタン異常処理システムについて説明する。エレベータの押しボタン異常処理システムは、エレベータの押しボタンに発生した異常を処理するためのシステムである。ここでは、まず、エレベータ装置について図１を用いて説明する。
【００１３】
図１に示すように、エレベータ装置１は、昇降路２内を昇降自在なエレベータのかご（以下、単にかごと記す）３と、かご３に主ロープ４を介して連結された釣合錘５と、主ロープ４を介してかご３及び釣合錘５を昇降させる巻上機（昇降駆動部）６と、を備えている。主ロープ４は、巻上機６に連結されたトラクションシーブ７に巻き掛けられている。巻上機６には制御装置８が接続されている。このような構成において、制御装置８が巻上機６を制御することにより、巻上機６がトラクションシーブ７を回転駆動し、主ロープ４が巻き上げられて、かご３及び釣合錘５がそれぞれ昇降する。そして、かご３が、建物に設けられた複数の乗場９のうちの任意の乗場９に着床する。かご３が着床した際には、かご３に設けられたかごドア１０および乗場９に設けられた乗場ドア１１が開き、利用者が乗降可能になる。
【００１４】
図２には、上述したかご３の内部が示されている。かご内操作盤２０は、図２に示すように、かごドア１０の近傍の壁面に設置されている。このかご内操作盤２０は、かごの運転状況を表示したり、利用者がかご３を操作したりするためのものである。
【００１５】
図３に示すように、かご内操作盤２０は、かご３の壁面に取り付けられたベースパネル２１と、ベースパネル２１に設けられたアナウンス装置２２および表示装置２３と、を有している。このうちアナウンス装置２２は、主に、かご３が着床した際に着床階を報知したり、非常時にエレベータ装置１の保守会社の監視センター（図示せず）と電話通信を行う際に先方の音声を出力して報知したりするためのものである。表示装置２３は、主に、かご３の運転状況を表示するためのものであり、より具体的には、現在かご３が位置している階床や、かご３の昇降方向を表示するように構成されている。
【００１６】
ベースパネル２１には、各種押しボタン２５、２６、２７が設けられている。より具体的には、かご３のかごドア１０を開閉するために利用者が操作可能な開ボタン２５および閉ボタン２６と、かご３の行き先階登録を行うためにかご３内の利用者が操作可能な行き先階操作ボタン２７が、ベースパネル２１に取り付けられている。これらのボタン２５〜２７が押下されると、ボタン２５〜２７から制御装置８の制御部８ａ（図４参照）へ信号が送信され、制御部８ａにおいて処理される。
【００１７】
本実施の形態においては、上述した開ボタン２５、閉ボタン２６および行き先階操作ボタン２７が、利用者が押下することによって操作される押しボタンとして構成されている。以下では、このうち、閉ボタン２６に発生した異常を処理する場合を例にとって説明する。
【００１８】
図４に示すように、エレベータの押しボタン異常処理システム３０は、閉ボタン２６（押しボタン）から発信される信号に基づいて、当該閉ボタン２６の異常の有無を判定する異常判定手段３１と、報知手段３４と、を備えている。
【００１９】
異常判定手段３１は、閉ボタン２６から制御部８ａに送信される信号を検出する信号検出部３２と、信号検出部３２により検出された信号に基づいて、異常の有無を判定する異常判定部３３と、を有している。例えば、異常判定部３３は、信号検出部３２により検出された信号の継続時間が所定の時間を超えた場合に、閉ボタン２６に異常が発生したと判定するように構成することが好適である。すなわち、利用者によって押下された閉ボタン２６が周囲の部材に引っ掛かることで押し込まれる前の状態に復帰しない異常が発生した場合、閉ボタン２６が押下され続けて信号が送信され続ける。このため、異常判定部３３を上述のように構成することにより、閉ボタン２６の異常を検出することが可能となる。
【００２０】
報知手段３４は、異常判定手段３１の異常判定部３３において異常が有ると判定された場合に、第１の報知として異常が発生した閉ボタン２６の押下を促す旨を報知する。このような第１の報知は音声または表示によって行うことができる。例えば報知手段３４は、上述したかご内操作盤２０のアナウンス装置２２を含むことができ、この場合には、第１の報知を音声報知として行うことができ、閉ボタン２６の押下を促す旨がかご３内にアナウンスされる。あるいは、報知手段３４は、上述したかご内操作盤２０の表示装置２３を含むことができ、この場合には、第１の報知を表示報知として行うことができ、閉ボタン２６の押下を促す旨が表示装置２３に表示される。なお、報知手段３４は、音声報知と表示報知の両方を行うようにしてもよい。
【００２１】
報知手段３４は、第１の報知の後に異常判定部３３が依然として閉ボタン２６に異常が有ると判定した場合、第２の報知として、異常が発生している閉ボタン２６の押下の方法を説明する報知を行うことが好適である。このような第２の報知は、第１の報知と同様にしてアナウンス装置２２による音声または表示装置２３による表示によって行うことができるが、第１の報知が音声で行われた場合には音声で行い、表示で行われた場合には表示で行うことが好ましい。
【００２２】
本実施の形態においては、エレベータの押しボタン異常処理システム３０は、点滅指示手段３５を更に備えている。点滅指示手段３５は、上述した報知手段３４による第１の報知の際に、異常が発生した閉ボタン２６を点滅させるように構成されている。そして更に、点滅指示手段３５は、報知手段３４による第２の報知の際には、第１の報知の際の点滅間隔より短い点滅間隔で閉ボタン２６を点滅させるようになっている。このような点滅指示手段３５は、第１の報知の際に閉ボタン２６に第１の点滅信号を送信することで、閉ボタン２６を第１の点滅間隔で点滅させ、第２の報知の際に閉ボタン２６に第２の点滅信号を送信することで、閉ボタン２６を、第１の点滅間隔より短い第２の点滅間隔で点滅させる。
【００２３】
さらに、本実施の形態においては、エレベータの押しボタン異常処理システム３０は、通知手段３６を更に備えている。通知手段３６は、第２の報知の後に異常判定部３３が依然として閉ボタン２６に異常が有ると判定した場合、閉ボタン２６の異常が継続している旨の通知を、エレベータ装置１の保守会社の監視センターに行う。また、通知手段３６は、第１の報知の後に（場合によっては第２の報知の後に）、異常判定部３３が閉ボタン２６に異常が無いと判定した場合、閉ボタン２６の異常が解消した旨をエレベータの管理者に通知する。
【００２４】
上述した信号検出部３２と異常判定部３３とを含む異常判定手段３１、点滅指示手段３５、および通知手段３６は、図１に示す制御装置８内に組み込むことができるが、かご内操作盤２０内に組み込むこともできる。
【００２５】
次に、このような構成からなる本実施の形態の作用について図５を用いて説明する。
【００２６】
まず、閉ボタン２６に異常が発生しているか否かが判定される（ステップＳ１）。この際、閉ボタン２６から制御部８ａに向けて発信される信号が信号検出部３２により検出され、信号検出部３２により検出された信号に基づいて、異常判定部３３により異常の有無が判定される。
【００２７】
閉ボタン２６に異常が有ると判定された場合、報知手段３４により、第１の報知として異常が発生した閉ボタン２６の押下を促す旨がかご３内に報知される（ステップＳ２）。このことにより、かご３に乗車している利用者に、閉ボタン２６に異常が発生していることを認識させることができると共に、異常が発生している閉ボタン２６の押下を促して当該閉ボタン２６の異常の解消を図ることができる。なお、閉ボタン２６に異常が有ると判定された場合には、保守会社の監視センターにも通知される。
【００２８】
ステップＳ２において、点滅指示手段３５により、閉ボタン２６を点滅させるようにしてもよい。この場合には、異常が発生している閉ボタン２６を利用者に容易に認識させることができるとともに、閉ボタン２６の押下を利用者により一層強く促すことができる。
【００２９】
続いて、異常判定部３３により、閉ボタン２６の異常が解消しているか否かが判定される（ステップＳ３）。異常が解消していると判定された場合には、ステップＳ１の処理に戻り、閉ボタン２６の異常が発生しているか否かの判定が改めて行われる。
【００３０】
一方、異常が解消していないと判定された場合には、報知手段３４により、第２の報知として異常が発生している閉ボタン２６の押下の方法を説明する報知が行われる（ステップＳ４）。このことにより、かご３に乗車している利用者に、異常が解消していないことを認識させることができるとともに、異常が発生している閉ボタン２６の押下の方法を伝えることができ、当該閉ボタン２６の異常の解消を図ることができる。
【００３１】
ステップＳ４において、点滅指示手段３５により、閉ボタン２６を、ステップＳ２における点滅間隔よりも短い点滅間隔で点滅させるようにしてもよい。この場合には、異常が解消していない閉ボタン２６を利用者に容易に認識させることができるとともに、報知されている閉ボタン２６の押下の方法の実行を利用者により一層強く促すことができる。
【００３２】
次に、異常判定部３３により、閉ボタン２６の異常が解消しているか否かが判定される（ステップＳ５）。異常が解消していると判定された場合には、通知手段３６により、閉ボタン２６の異常が解消した旨が保守会社の監視センターに通知される（ステップＳ６）。このことにより、保守会社からの点検作業者の派遣を不要とすることができる。その後、ステップＳ１の処理に戻り、閉ボタン２６の異常が発生しているか否かの判定が改めて行われる。
【００３３】
一方、異常が解消していないと判定された場合には、通知手段３６により、閉ボタン２６に異常が継続している旨、保守会社の監視センターに通知される（ステップＳ７）。このことにより、保守会社から点検作業者が派遣され、閉ボタン２６の修理を行い、異常の解消を図ることができる。
【００３４】
このように本実施の形態によれば、閉ボタン２６から発信される信号に異常が有ると判定された場合、第１の報知として、異常が発生した閉ボタン２６の押下を促す旨が報知される。このことにより、かご３に乗車している利用者に、閉ボタン２６に異常が発生していることを認識させることができると共に、異常が発生している閉ボタン２６の押下を促して当該閉ボタン２６の異常の解消を図ることができる。このため、異常が発生した閉ボタン２６の迅速な復旧を図ることができる。
【００３５】
また、本実施の形態によれば、第１の報知の後に依然として閉ボタン２６に異常が有ると判定された場合、第２の報知として、異常が発生している閉ボタン２６の押下の方法を説明する報知が行われる。このことにより、かご３に乗車している利用者に、異常が解消していないことを認識させることができるとともに、異常が発生している閉ボタン２６の押下の方法を伝えることができ、当該閉ボタン２６の異常の解消を図ることができる。
【００３６】
なお、上述した本実施の形態においては、かご内操作盤２０に設けられた閉ボタン２６を対象として、この閉ボタン２６に発生した異常を処理する例について説明した。しかしながら、このことに限られることはなく、開ボタン２５や行き先階操作ボタン２７を対象としてこれらのボタンに発生した異常を処理するように構成してもよい。また、異常処理の対象の押しボタンは、開ボタン２５、閉ボタン２６および行き先階操作ボタン２７のうちの２つ以上とすることもできる。
【００３７】
さらには、図６に示すように、乗場９に設けられた乗場操作盤４０のボタンを対象にすることもできる。すなわち、乗場操作盤４０は、乗場９で待機する利用者が上階へ向うかご３を呼び登録するための上呼びボタン４１と、下階へ向うかご３を呼び登録するための下呼びボタン４２と、を有しており、これら上呼びボタン４１および下呼びボタン４２のうちの少なくとも一つを対象とすることもできる。この場合においても、報知手段３４は、乗場９に設けられたアナウンス装置または表示装置（いずれも図示せず）を含むことにより、第１の報知、第２の報知を乗場９に報知することが可能となる。
【００３８】
また、上述した本実施の形態においては、エレベータの押しボタン異常処理システム３０が、図４に示すように、異常判定手段３１と報知手段３４と点滅指示手段３５と通知手段３６とを備えている例について説明した。しかしながら、当該異常処理システム３０は、このような構成に限られることはなく、閉ボタン２６の異常の有無を判定して、第１の報知として、異常が発生した閉ボタン２６の押下を促す旨の報知を行うことができれば、任意の構成とすることができる。
【００３９】
（第２の実施の形態）
次に、図７および図８により、本発明の第２の実施の形態におけるエレベータの押しボタン異常処理システムについて説明する。
【００４０】
図７および図８に示す第２の実施の形態においては、押しボタンに異常が有ると判定された場合に、異常が発生した押しボタンに機械的振動が付与される点が主に異なり、他の構成は、図１乃至図６に示す第１の実施の形態と略同一である。なお、図７および図８において、図１乃至図６に示す第１の実施の形態と同一部分には同一符号を付して詳細な説明は省略する。
【００４１】
図７に示すように、本実施の形態におけるエレベータの押しボタン異常処理システム３０は、異常判定手段３１の異常判定部３３において閉ボタン２６に異常が有ると判定された場合に、異常が発生した閉ボタン２６に機械的振動を付与する振動付与手段５０を備えている。振動付与手段５０は、例えば、圧電素子、または出力軸に偏心した錘が取り付けられた偏心モータにより構成することができる。このような振動付与手段５０は、例えば、図８に示すように、閉ボタン２６の近傍の周囲の部材に取り付けることにより、異常判定部３３からの指令を受けて駆動され、閉ボタン２６に機械的振動を付与することが可能となる。
【００４２】
このように本実施の形態によれば、閉ボタン２６から発信される信号に異常が有ると判定された場合、閉ボタン２６に機械的振動が付与される。このことにより、押し込まれた状態で周囲の部材に引っ掛かっていた閉ボタン２６が振動し、閉ボタン２６の引っ掛かりを解消することができ、閉ボタン２６を押し込まれる前の状態に復帰させることができる。このため、異常が発生した閉ボタン２６の迅速な復旧を図ることができる。
【００４３】
（第３の実施の形態）
次に、図９および図１０により、本発明の第３の実施の形態におけるエレベータの押しボタン異常処理システムについて説明する。
【００４４】
図９および図１０に示す第３の実施の形態においては、押しボタンに異常が有ると判定された場合に、異常が発生した押しボタンに裏側から気体を噴出する点が主に異なり、他の構成は、図１乃至図６に示す第１の実施の形態と略同一である。なお、図９および図１０において、図１乃至図６に示す第１の実施の形態と同一部分には同一符号を付して詳細な説明は省略する。
【００４５】
図９に示すように、本実施の形態におけるエレベータの押しボタン異常処理システム３０は、異常判定手段３１の異常判定部３３において閉ボタン２６に異常が有ると判定された場合に、異常が発生した閉ボタン２６に裏側から気体を噴出する気体噴出手段６０を備えている。気体噴出手段６０は、例えば、異常判定部３３からの指令を受けて駆動され、圧縮された空気などの気体を閉ボタン２６の裏面に噴出するように構成することができる。
【００４６】
このように本実施の形態によれば、閉ボタン２６から発信される信号に異常が有ると判定された場合、閉ボタン２６に裏側から気体が噴出される。このことにより、押し込まれた状態で周囲の部材に引っ掛かっていた閉ボタン２６に、押し込まれる前の状態に戻る方向に圧力を付加することができ、閉ボタン２６を押し込まれる前の状態に復帰させることができる。このため、異常が発生した閉ボタン２６の迅速な復旧を図ることができる。
【００４７】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００４８】
２０    かご内操作盤
２２    アナウンス装置
２３    表示装置
２５    開ボタン
２６    閉ボタン
２７    行き先階操作ボタン
３０    エレベータの押しボタン異常処理システム
３１    異常判定手段
３４    報知手段
３５    点滅指示手段
３６    通知手段
５０    振動付与手段
６０    気体噴出手段
【図１】
0005865961.tif 000002
【図２】
0005865961.tif 000003
【図３】
0005865961.tif 000004
【図４】
0005865961.tif 000005
【図５】
0005865961.tif 000006
【図６】
0005865961.tif 000007
【図７】
0005865961.tif 000008
【図８】
0005865961.tif 000009
【図９】
0005865961.tif 000010
【図１０】
0005865961.tif 000011